(57)【特許請求の範囲】
【請求項１】
箱本体と、該箱本体に設けられたユニット装着部に挿入されて着脱自在に組み付けられる回路ユニットとを備え、前記回路ユニットは一部が前記ユニット装着部における装着部周壁から突出して組み付けられてなる電気接続箱において、
前記回路ユニットの周壁部には、該周壁部に開口部を形成する電気部品装着部が設けられている一方、前記開口部よりも上方側に位置する部位に、前記周壁部から外方に突出する庇部が突設されており、
前記ユニット装着部に前記回路ユニットが組み付けられた状態で、前記開口部が前記装着部周壁の対向部位に覆われていると共に、前記開口部と前記対向部位の対向面間隙間が前記庇部によって上方から覆われており、
前記回路ユニットの前記周壁部には、前記回路ユニットの挿入方向で前記開口部よりも上方に位置する部位に、前記開口部よりも前記回路ユニットの内方に凹まされた凹状部が設けられており、該凹状部の底壁から前記庇部が前記挿入方向の斜め下方に向かって傾斜して突出している
ことを特徴とする電気接続箱。
【請求項２】
箱本体と、該箱本体に設けられたユニット装着部に挿入されて着脱自在に組み付けられる回路ユニットとを備え、前記回路ユニットは一部が前記ユニット装着部における装着部周壁から突出して組み付けられてなる電気接続箱において、
前記回路ユニットの周壁部には、該周壁部に開口部を形成する電気部品装着部が設けられている一方、前記開口部よりも上方側に位置する部位に、前記周壁部から外方に突出する庇部が突設されており、
前記ユニット装着部に前記回路ユニットが組み付けられた状態で、前記開口部が前記装着部周壁の対向部位に覆われていると共に、前記開口部と前記対向部位の対向面間隙間が前記庇部によって上方から覆われており、
前記庇部の下面が前記回路ユニットの挿入方向の斜め下方に傾斜していると共に、前記装着部周壁の前記対向部位における端面が前記斜め下方に傾斜しており、前記庇部の下面が前記対向部位の前記端面に重ね合されている
ことを特徴とする電気接続箱。
【発明の詳細な説明】
【技術分野】
【０００１】
本発明は、自動車等に搭載される電気接続箱に係り、特に箱本体と該箱本体に装着される回路ユニットを有する電気接続箱に関するものである。
【背景技術】
【０００２】
従来から、例えば特開２００９−１００５３３号公報（特許文献１）に記載のように、基本回路が装着された箱本体と、該箱本体に設けられたユニット装着部に対して着脱可能に組み付けられるＥＣＵ等の回路ユニットを備えてなる電気接続箱が知られている。このような電気接続箱によれば、複数種類の回路ユニットを準備することにより、箱本体を共通にして、車種やグレード等の違いに応じて回路ユニットを適宜交換することができ、汎用性の高い電気接続箱を効率的に提供することが可能となる。或いはまた、着脱可能に組み付けられる回路ユニットを採用したことにより、電気接続箱の故障時の対応もユニット交換等により速やかに行うことが可能となる。
【０００３】
ところで、このような従来構造の電気接続箱では、ユニット装着部への回路ユニットの着脱作業を容易に行う目的から、ユニット装着部への回路ユニットの挿入方向における回路ユニットの上方側が、ユニット装着部の装着部周壁の端面から上方に突出するように組み付けられる。それ故、ユニット装着部の装着部周壁から突出した回路ユニットの上方側の周壁部が被水すると、回路ユニットの周壁部を伝って水が広がり回路ユニット内に浸水するおそれがある。そこで、回路ユニットの周壁部には開口部を形成する電気部品装着部等を設けない構造が採用されていた。
【０００４】
しかしながら、回路ユニットの内部にリレーやヒューズ等の交換可能な電気部品を用いる場合もある。そのような場合に回路ユニットの周壁部に電気部品装着部を設けることができないとすると、回路ユニットの設計自由度やメンテナンス性が著しく劣る結果となり、何等かの対策が求められていた。
【先行技術文献】
【特許文献】
【０００５】
【特許文献１】特開２００９−１００５３３号公報
【発明の概要】
【発明が解決しようとする課題】
【０００６】
本発明は、上述の事情を背景に為されたものであって、その解決課題は、ユニット装着部に装着される回路ユニットの防水性を確保しつつ、回路ユニットの周壁部に電気部品装着部を設けることができる、新規な構造の電気接続箱を提供することにある。
【課題を解決するための手段】
【０００７】
本発明の第１の態様は、箱本体と、該箱本体に設けられたユニット装着部に挿入されて着脱自在に組み付けられる回路ユニットとを備え、前記回路ユニットは一部が前記ユニット装着部における装着部周壁から突出して組み付けられてなる電気接続箱において、前記回路ユニットの周壁部には、該周壁部に開口部を形成する電気部品装着部が設けられている一方、前記開口部よりも上方側に位置する部位に、前記周壁部から外方に突出する庇部が突設されており、前記ユニット装着部に前記回路ユニットが組み付けられた状態で、前記開口部が前記装着部周壁の対向部位に覆われていると共に、前記開口部と前記対向部位の対向面間隙間が前記庇部によって上方から覆われており、前記回路ユニットの前記周壁部には、前記回路ユニットの挿入方向で前記開口部よりも上方に位置する部位に、前記開口部よりも前記回路ユニットの内方に凹まされた凹状部が設けられており、該凹状部の底壁から前記庇部が前記挿入方向の斜め下方に向かって傾斜して突出していることを特徴とするものである。
【０００８】
本態様によれば、回路ユニットの周壁部に開口部を形成する電気部品装着部が設けられていることから、回路ユニットにリレーやヒューズ等の交換可能な電気部品を採用して、電気部品装着部に着脱自在に装着し、それらの電気部品を回路ユニットの外部から容易に着脱することが可能となる。これにより、回路ユニットの設計自由度やメンテナンス性の向上を図ることができる。
【０００９】
さらに、回路ユニットの周壁部において電気部品装着部を外部に露呈する開口部は、回路ユニットがユニット装着部に装着された際には、ユニット装着部の装着部周壁の対向部位に覆われる。加えて、回路ユニットの開口部と装着部周壁の対向部位の対向面間隙間が、回路ユニットの開口部の上方に突設された庇部によって上方から覆われている。これにより、仮にユニット装着部から突出した回路ユニットの周壁部に水滴等が付着した場合でも、回路ユニットの周壁部を流下する水滴が、開口部と対向部位の対向面間隙間から回路ユニットの内部に浸入することが、庇部により未然に防止されている。その結果、回路ユニットの防水性を保持しつつ、回路ユニットの周壁部に電気部品装着部を設けることが可能となったのである。また、回路ユニットの周壁部に凹状部が設けられており、かかる凹状部に庇部が突設されている。これにより、庇部の突出長さを稼ぎつつ周壁部の外方への突出量を抑えることができる。その結果、庇部の強度を確保しつつ下方傾斜角度の設定自由度の向上を図り、さらに、庇部による回路ユニットの大型化を避けることができ、庇部による回路ユニットの防水機能を有利に実現することができる。
【００１０】
本発明の第２の態様は、第１の態様に記載の電気接続箱において、前記回路ユニットの前記周壁部における前記開口部の周縁部には、前記挿入方向に延びる嵌合凸部および嵌合凹部の一方が設けられていると共に、ユニット装着部の前記装着部周壁における前記対向部位の周縁部には、前記嵌合凸部および前記嵌合凹部の他方が設けられており、前記回路ユニットが前記ユニット装着部に挿入される際に、前記嵌合凸部と前記嵌合凹部がスライド嵌合して、前記回路ユニットの開口部が前記装着部壁部の前記対向部位に覆蓋されるようになっているものである。
【００１１】
本態様によれば、回路ユニットの開口部の周縁部と、装着部周壁の対向部位の周縁部とに、嵌合凸部と嵌合凹部からなるスライド嵌合機構を設け、回路ユニットのユニット装着部への挿入時の位置決めや挿入姿勢の保持を行い、挿入作業をスムーズに行うことが可能となる。しかも、回路ユニットの開口部を装着部周壁の対向部位で覆蓋し、かかる覆蓋状態を嵌合凸部と嵌合凹部の嵌め合いにより保持することができ、一層の防水性の確保が図られる。さらに、嵌合凸部と嵌合凹部の嵌め合いにより、それらの当接面間の形状を複雑化し距離を長く確保できることから、嵌合凹凸部からの水入りも有利に防止することができる。
【００１４】
本発明の第３の態様は、箱本体と、該箱本体に設けられたユニット装着部に挿入されて着脱自在に組み付けられる回路ユニットとを備え、前記回路ユニットは一部が前記ユニット装着部における装着部周壁から突出して組み付けられてなる電気接続箱において、前記回路ユニットの周壁部には、該周壁部に開口部を形成する電気部品装着部が設けられている一方、前記開口部よりも上方側に位置する部位に、前記周壁部から外方に突出する庇部が突設されており、前記ユニット装着部に前記回路ユニットが組み付けられた状態で、前記開口部が前記装着部周壁の対向部位に覆われていると共に、前記開口部と前記対向部位の対向面間隙間が前記庇部によって上方から覆われており、前記庇部の下面が前記回路ユニットの挿入方向の斜め下方に傾斜していると共に、前記装着部周壁の前記対向部位における端面が前記斜め下方に傾斜しており、前記庇部の下面が前記対向部位の前記端面に重ね合されていることを特徴とするものである。
【００１５】
本態様によれば、庇部の下面のみならずかかる、装着部周壁の対向部位における端面も両方が斜め下方に傾斜しており、さらにそれらが相互に重ね合されている。これにより、庇部と装着部周壁の端面の間の防水性が向上されており、仮にそれらの間から水が浸水しようとしても、下方傾斜に沿って水が下方に流下され浸水を防止することができるのである。
【００１６】
本発明の第４の態様は、第１〜第３の態様の何れか１つに記載の電気接続箱において、前記庇部の突出先端部が、前記ユニット装着部の前記装着部周壁の外周面よりも外方に突出しているものである。
【００１７】
本態様によれば、庇部の突出先端部が、ユニット装着部の装着部周壁の外周面よりも外方に突出していることから、庇部を伝って流下する水を装着部周壁の外周面に導くことができ、装着部周壁の内部や回路ユニットの開口部への浸水を有利に防止することができる。
【発明の効果】
【００１８】
本発明によれば、回路ユニットの周壁部に開口部を形成する電気部品装着部を設ける一方、開口部よりも上方側に周壁部から外方に突出する庇部を突設し、ユニット装着部に回路ユニットが組み付けられた状態で、開口部がユニット装着部の装着部周壁の対向部位に覆われると共に、開口部と対向部位の対向面間隙間の上方開口部を庇部によって上方から覆うようにした。これにより、回路ユニットに電気部品装着部を設けても回路ユニットの防水性を確保することができ、回路ユニットの利便性と防水性を併せ備えた電気接続箱を提供することができる。
【図面の簡単な説明】
【００１９】
【図１】本発明の一実施形態としての電気接続箱を示す分解斜視図。
【図２】図１に示された電気接続箱の正面図。
【図３】図２に示された電気接続箱を構成する箱本体の横断面図であって、図２におけるＩＩＩ−ＩＩＩ断面に相当する図。
【図４】図１に示された電気接続箱を構成する回路ユニットの正面図。
【図５】図４におけるＶ−Ｖ断面図。
【図６】図４におけるＶＩ−ＶＩ断面図。
【図７】図２におけるＶＩＩ−ＶＩＩ断面図。
【図８】図２におけるＶＩＩＩ−ＶＩＩＩ断面図。
【発明を実施するための形態】
【００２０】
以下、本発明の実施形態について、図面を参照しつつ説明する。
【００２１】
先ず、図１，２には、本発明の一実施形態としての電気接続箱１０が示されている。即ち、電気接続箱１０は、略矩形枠体状に構成された箱本体１２と、かかる箱本体１２に設けられたユニット装着部としての第１のユニット装着部１４に対して着脱自在に組み付けられる回路ユニットとしてのリレーモジュール１６を含んで構成されている。なお、以下の説明において、上下方向又は挿入方向の上方下方とは、特に断りのない限り、図２に示す上下方向を言い、左右方向とは、図２に示す左右方向を言うものとする。また、前後方向とは、図６における左右方向を言う。
【００２２】
より詳細には、箱本体１２は、図３にも示されているように、全体として左右方向に延びる略矩形枠体形状とされており、例えばポリプロピレン（ＰＰ）やポリアミド（ＰＡ）等の合成樹脂による射出形成等により一体形成されている。かかる箱本体１２の幅方向中央部分には、長手方向に延びる第１のユニット装着部１４が略枠状に形成されている。即ち、第１のユニット装着部１４の周囲には装着部周壁１８が箱本体１２の内部を仕切るように設けられており、４つの装着部周壁１８ａ，１８ｂ，１８ｃ，１８ｄで囲まれた領域が第１のユニット装着部１４とされている。
【００２３】
また、箱本体１２において、第１のユニット装着部１４よりも前方には図示しないバスバーや被覆電線が配設されて基本回路を構成するコネクタ装着部１９等が設けられている一方、第１のユニット装着部１４よりも後方には、後方の装着部周壁１８ｃと箱本体１２の周壁により囲まれた第２のユニット装着部２０が形成されている。
【００２４】
ここにおいて、前方の装着部周壁１８ａの略中央部分が、後述するリレーモジュール１６の開口部３８と対向する対向部位２２とされており、この対向部位２２の幅寸法（図３中の左右方向寸法）は、開口部３８と略等しくされている。更に、対向部位２２の左右方向両側縁部には、内方に向かって突出する一対の鉤状の突部が高さ方向（図２中の上下方向）の略全長に亘って設けられており、これにより、左右方向外方に開口する一対の嵌合凹部２４，２４が高さ方向の略全長に亘って形成されている。換言すれば、対向部位２２の周縁部において、一対の嵌合凹部２４，２４が高さ方向に延びて形成されている。また、対向部位２２の上端面２６は、外方になるにつれて斜め下方に傾斜する傾斜面となっている。
【００２５】
さらに、左右方向両側の装着部周壁１８ｂ、１８ｄの内面における上端部分には、内方に突出する係合突起２８，２８が形成されている。なお、係合突起２８，２８の前後方向両側には、所定の高さ寸法で延びて前後方向内方に開口するガイド溝３０，３０が形成されている。
【００２６】
かかる形状とされた箱本体１２の第１のユニット装着部１４に対して、図４〜図６に示されている如きリレーモジュール１６が組み付けられている。このリレーモジュール１６は、ケース３２に、回路基板３４を収容して構成されている。即ち、このケース３２は、全体として箱形状とされており、略矩形の上壁３５の外周縁部から、下方に向かって筒状の周壁部３６が延び出した形状とされている。なお、本実施形態では、回路基板３４は、バスバーを埋設状態としつつ樹脂基板をモールド成形することにより得られるバスバーモールド基板によって構成されている。また、ケース３２は、例えばポリプロピレン（ＰＰ）やポリアミド（ＰＡ）等の合成樹脂による射出形成等により一体形成される。
【００２７】
さらに、ケース３２における前方の周壁３７において、左右方向中間部分には、所定の左右方向寸法をもって前後方向に貫通する開口部３８が形成されている。そして、かかるケース３２の下方開口部からリレーホルダ４０および回路基板３４を挿入すると共に、側方接続型コネクタハウジング４２を嵌め入れることで、ケース３２の下方開口部が覆蓋されるようになっている。なお、リレーホルダ４０は、開口部３８に対して位置合わせされて設けられており、開口部３８を通じて外部からリレーホルダ４０にリレー４４を装着させることにより、当該リレー４４が回路基板３４に電気的に接続可能とされている。これにより、リレーモジュール１６には、周壁部３６の開口部３８を通じて電気部品を装着することのできる電気部品装着部４６が設けられている。
【００２８】
更にまた、側方接続型コネクタハウジング４２は、ケース３２の下方開口部に対応する外形形状とされている。そして、下方に開口するコネクタ装着部４８が左右方向で３箇所に設けられており、回路基板３４から延び出すバスバーの先端が屈曲されて接続端子４９としてコネクタ装着部４８の内部に至っている。これにより、側方接続型コネクタハウジング４２に対して下方からコネクタ等が接続可能とされている。また、リレーモジュール１６の前方上端部分にはコネクタ装着部５０が設けられており、このコネクタ装着部５０にコネクタ等を装着することにより、当該コネクタ等が回路基板３４に対して電気的に接続可能とされている。
【００２９】
ここにおいて、ケース３２の前方の周壁３７では、開口部３８よりも上方に、前後方向内方に窪んだ凹状部５２が形成されている。即ち、凹状部５２の底壁５４が、周壁３７の他の部分よりも後方に位置している。かかる凹状部５２は、開口部３８と略同じ左右方向寸法で形成されている。そして、この底壁５４の下端からは庇部５６が前方に延び出している。この庇部５６の上面および下面５７は前方に行くほど下方に傾斜する傾斜面とされており、庇部５６の先端部は周壁３７よりも前方に位置している。
【００３０】
また、開口部３８の左右方向両側縁部には、鉤状に突出する一対の嵌合凸部５８，５８が前方に突出して形成されている。これら嵌合凸部５８，５８は所定の長さ寸法（図４中の上下方向寸法）をもって形成されており、先端部は左右方向内方に突出している。
【００３１】
さらに、ケース３２の左右方向両側の外面には、弾性突片５９，５９が、それらの下端を固定されている一方、上端がフリーな状態で設けられている。これら弾性突片５９，５９はそれぞれ板ばね状とされており、更に弾性突片５９，５９の外面にはそれぞれ外方に突出する係合突起６０，６０が形成されている。また、これら係合突起６０，６０の前後方向両側には、前後方向外方に突出するガイド部６２，６２が所定の高さ寸法をもって形成されている。
【００３２】
上記の如き形状とされた箱本体１２の第１のユニット装着部１４に対して、図２および図７，８に示されているように、リレーモジュール１６が組み付けられる。即ち、左右方向外方に開口する嵌合凹部２４，２４と左右方向内方に突出する嵌合凸部５８，５８とを嵌合させる。また、前後方向内方に開口するガイド溝３０，３０に対して前後方向外方に突出するガイド部６２，６２を嵌め入れる。この状態で、リレーモジュール１６を箱本体１２に対して相対的に下方にスライド変位させることにより、ケース３２の外面に設けられた係合突起６０，６０と第１のユニット装着部１４の内面に設けられた係合突起２８，２８が係合して、リレーモジュール１６が第１のユニット装着部１４に対して装着される。なお、リレーモジュール１６を第１のユニット装着部１４から取り外す際には、板ばね状の弾性突片５９，５９の上端を内方へ押し込むことにより、係合突起２８，６０間の係合が解除されて、リレーモジュール１６を箱本体１２に対して上方にスライド変位させることにより、リレーモジュール１６が第１のユニット装着部１４から取り外され得る。
【００３３】
また、第１のユニット装着部１４にリレーモジュール１６が装着される際には、リレーモジュール１６の上側部分が第１のユニット装着部１４の上端面よりも上方に突出して組み付けられる。そして、ケース３２の開口部３８の前方が装着部周壁１８ａの対向部位２２で覆われると共に、これらの対向面間の隙間の上方開口部６３が庇部５６で覆われる。本実施形態では、対向部位２２の上端面２６と庇部５６の下面５７がそれぞれ、前方に行くに従い下方に傾斜する傾斜面とされており、リレーモジュール１６が箱本体１２に組み付けられることにより、両面２６，５７が当接して重ね合わされるようになっている。更に、庇部５６の突出先端部は、対向部位２２よりも前方まで突出するようにされている。
【００３４】
なお、箱本体１２の外周面における上端部分および下端部分には、適当な箇所に、外方に突出するロック部６４が形成されている。そして、かかる箱本体１２の上方から図示しないアッパケースが重ね合わされて、アッパケースに設けられた被ロック部と箱本体１２の上端部分に設けられたロック部６４とがロック係合することにより、箱本体１２の上方開口部がアッパケースにより覆蓋される。一方、箱本体１２の下方から図示しないロアケースが重ね合わされて、ロアケースに設けられた被ロック部と箱本体１２の下端部分に設けられたロック部６４とがロック係合することにより、箱本体１２の下方開口部がロアケースにより覆蓋される。このように、第１のユニット装着部１４にリレーモジュール１６が装着されると共に、必要に応じて電気部品が装着されて、箱本体１２がアッパケースおよびロアケースにより覆蓋されることで電気接続箱１０が構成される。また、箱本体１２の外周面には、左右方向両側に、略枠体状のブラケット装着部６６，６６が形成されており、かかる電気接続箱１０が、ブラケット装着部６６，６６を介して車両に装着される。
【００３５】
上記の如き形状とされた本実施形態の電気接続箱１０では、リレーモジュール１６の周壁部３６に対して開口部３８が設けられていると共に、当該開口部３８を通じて電気部品装着部４６にリレー４４等の電気部品を装着することができることから、リレーモジュール１６、ひいては電気接続箱１０の設計自由度を向上させることができる。また、開口部３８と装着部周壁１８ａにおける対向部位２２との対向面間隙間の上方開口部６３が庇部５６によって覆蓋されていることから、かかる対向面間隙間の上方開口部から水等が浸入することが効果的に防止され得る。
【００３６】
さらに、庇部５６の下面５７が前方に向かって下傾する傾斜面形状とされていると共に、対向部位２２の上端面２６も前方に向かって下傾する傾斜面形状とされていることから、これらの当接面では、重ね合わせ面積を大きく確保することができて、水等の浸入防止効果が更に高度に達成され得る。
【００３７】
更にまた、庇部５６が対向部位２２よりも外方まで突出していることから、庇部５６上を流下する水滴が、開口部３８と対向部位２２との対向面間隙間に入り込むことが一層効果的に防止されて、優れた防水性能が発揮され得る。
【００３８】
また、対向部位２２の左右方向両側に嵌合凹部２４，２４が設けられている一方、開口部３８の左右方向両側に嵌合凸部５８，５８が設けられており、リレーモジュール１６を第１のユニット装着部１４に対して下方向にスライド変位させることで、嵌合凹部２４，２４と嵌合凸部５８，５８とが嵌合するようになっている。これにより、リレーモジュール１６を第１のユニット装着部１４に対して容易に位置合わせできるだけでなく、組付けも容易とされ得る。特に、本実施形態では、嵌合凹部２４，２４と嵌合凸部５８，５８とが鉤状の突起により形成されている。それ故、これらの嵌合により、当接面間の形状が複雑化され距離を長く確保できることから、高い防水効果が発揮されて、嵌合部を通じての浸水のおそれが低減されている。
【００３９】
さらに、ケース３２の周壁部３６における前方の周壁３７には、凹状部５２が形成されており、当該凹状部５２の底壁５４から庇部５６が延び出している。これにより、ケース３２の大型化を回避しつつ庇部５６の突出寸法を大きく確保することができて、庇部５６の強度も十分に確保される。特に、凹状部５２の大きさを変化させることにより庇部５６の位置や傾斜角度を変更させることができて、設計自由度の向上が図られ得る。
【００４０】
以上、本発明の実施形態について説明してきたが、本発明はかかる実施形態における具体的な記載によって限定的に解釈されるものでなく、当業者の知識に基づいて種々なる変更，修正，改良などを加えた態様で実施可能である。
【００４１】
例えば、回路基板３４は、前記実施形態の如きバスバーモールド基板である必要はなく、例えば絶縁基材に電気回路が印刷されたプリント基板であってもよい。
【００４２】
また、前記実施形態では、庇部５６の下面５７と対向部位２２の上端面２６はそれぞれ、前方に行くに従って下傾する傾斜面とされていたが、かかる態様に限定されず、例えば少なくとも一方が、水平方向に広がる平坦面とされていてもよい。更に、庇部５６は、対向部位２２より前方まで突出していたが、その必要はなく、開口部３８と対向部位２２との対向面間隙間の上方開口部を覆蓋できる大きさであればよい。
【００４３】
なお、箱本体１２に取り付けられるアッパケースおよびロアケースの形状は何等限定されるものではない。尤も、アッパケースやロアケースは必須なものではない。
【符号の説明】
【００４４】
１０：電気接続箱、１２：箱本体、１４：第１のユニット装着部（ユニット装着部）、１６：リレーモジュール（回路ユニット）、１８ａ，１８ｂ，１８ｃ，１８ｄ：装着部周壁、２２：対向部位、２４：嵌合凹部、２６：上端面、３６：周壁部、３８：開口部、４６：電気部品装着部、５２：凹状部、５４：底壁、５６：庇部、５７：下面、５８：嵌合凸部、６３：上方開口部
【図１】
0006439969.tif 000002
【図２】
0006439969.tif 000003
【図３】
0006439969.tif 000004
【図４】
0006439969.tif 000005
【図５】
0006439969.tif 000006
【図６】
0006439969.tif 000007
【図７】
0006439969.tif 000008
【図８】
0006439969.tif 000009